(57)【要約】      （修正有）【課題】下水道の熱気をマンホール蓋側に伝わるのを遮断する装置であって、複雑な構造を要せず、性能に優れたマンホール熱遮断装置を提供する。【解決手段】隔壁体１０とフロート排水栓２０で構成され、隔壁体１０は、外周が円形の、断熱性と防水性を有した樹脂製発泡体の隔壁本体１０ａと、マンホール受枠Ｃへ固定する吊設手段３０を備え、フロート排水栓２０は、隔壁体１０の略中央部に配され、内部に球状のフロート２１を移動自在に備えた円筒部２２と、該円筒部２２の下部に、フロート２１の直径より適宜小さい直径のフロート線接触部２３ａを有した開口部２４を設ける。吊設手段３０は、マンホール受枠Ｃに吊設可能なフック部と固定手段３４とを有するとともに、中心方向に回動自在で折り畳み可能にした吊金具３１を備える。隔壁体１０は、中央部下側に備えた補強板１１と、上側に設けた支持金具３２とで、該隔壁本体１０ａを挟んでスペーサー４４を介して結合して形成される。【選択図】図１
0003214909.tif 000002
【実用新案登録請求の範囲】
【請求項１】
路面下に埋設されたマンホールＡの蓋Ｂの下側に設置され、雨水等の侵入物を下方に排出するとともに、下水道の熱気をマンホール蓋側に伝わるのを遮断する装置であって、隔壁体１０とフロート排水栓２０で構成され、
前記隔壁体１０は、前記マンホールの立坑部Ｄを閉塞する外周が円形の、断熱性と防水性を有した隔壁本体１０ａと、マンホール受枠Ｃへ固定する吊設手段３０を備え、
前記フロート排水栓２０は、前記隔壁体１０の略中央部に配され、内部に球状のフロート２１を移動自在に備えた円筒部２２と、該円筒部２２の下部に、前記フロートの直径より適宜小さい直径のフロート線接触部２３ａを有した開口部２４を設けて成り、
前記フロート上側に雨水等の蓄積がない場合は、前記フロート２１が自重作用によりフロート線接触部２３ａと線接触して開口部２４を遮蔽し、
前記筒部２２内のフロート上側に雨水等が蓄積された場合には、前記フロート２１が浮力により上方に移動して開口部２４を開放し、
下水道内の内圧が適宜範囲で高い場合は前記フロート２１が上昇し開口部２４を開放する、ことを特徴とするマンホール熱遮断装置１。
【請求項２】
前記吊設手段３０が、マンホール受枠Ｃに吊設可能なフック部３１ｂと固定手段３４とを有するとともに、中心方向に回動自在で折り畳み可能にした吊金具３１を備えたことを特徴とする請求項１に記載のマンホール熱遮断装置１。
【請求項３】
前記隔壁本体１０ａが断熱性と防水性及び弾性を有した樹脂製発泡体で成り、隔壁本体１０ａの外形は、立坑部Ｄの内径に同一又はわずかに大きい直径とし、
前記隔壁体１０は、中央部下側に備えた補強板１１と、上側に設けられた前記支持金具３２とで、該隔壁本体１０ａを挟んでスペーサー４４を介して結合して形成されることを特徴とする請求項１又は請求項２に記載のマンホール熱遮断装置１。
【考案の詳細な説明】
【技術分野】
【０００１】  本考案は、路面下に埋設された下水道のマンホールからの熱気を遮断する装置に関する。
【背景技術】
【０００２】  路面下に埋設された下水道の汚水管には生活排水や地熱により熱気が溜り、下水道に立設されたマンホールから熱気が地上に放出される。その熱気により、積雪地帯ではマンホール蓋の上の雪が融けて穴となり、その段差により車両等の通行に障害が生じていた。
この状況に対して、マンホールの蓋の下側に設置し、マンホールの立坑部を断熱性を有した蓋材で遮蔽し、かつ、マンホール蓋からの侵入水を通過させる開口部を浮力を用いて開閉する発明が公開されている。（例えば、特許文献１、特許文献２参照）
【先行技術文献】
【特許文献】
【０００３】
【特許文献１】特開２００３−９６８０６号公報
【特許文献２】特開２０００−６４３２４号公報
【考案の概要】
【考案が解決しようとする課題】
【０００４】  特許文献１には、「マンホールの鉄蓋用受枠の内側に、断熱材によって覆われた凹状外周蓋と、ガイド棒を介して昇降自在の断熱材で形成された内蓋とからなり、外周蓋は、筒形状で底部には開口が形成され、開口は内蓋の自重による下降により塞がれ、流入水があるときには、内蓋の浮力により浮上して、前記開口が開放される」ことが記載されている。この発明は、外周蓋と内蓋の２重構造になっていて、内蓋が大きな平板であるので流水量が多くなければ浮上しないという課題がある。
特許文献２には、「水抜き孔が形成された円形状の断熱板と、前記断熱板の外周面に取り付けられたチューブとからなり、断熱板はチューブを膨張させてマンホール内に密着、保持される。水抜き孔には、断熱板上に溜まった水の浮力によって上昇するフロートと、フロートで水抜き孔を塞ぐための重りとからなる」ことが記載されている。この発明は、断熱板外周面に取り付けるチューブの管理が難しく、また、フロートに水抜き孔を通して棒状のもので重りを接続しているので、異物による水抜き孔の閉塞などへの対応の課題がある。
本考案は、これらの課題を解決する装置を提供するものである。
【課題を解決するための手段】
【０００５】  上記の課題を解決するため、本考案のマンホール熱遮断装置は、路面下に埋設された下水道に立設されたマンホールの蓋の下側の立坑部に設置され、マンホール蓋からの雨水等の侵入物を下方に排出するとともに、下水道の熱気をマンホール蓋側に伝わるのを遮断する装置であって、隔壁体とフロート排水栓で構成される。前記隔壁体は、前記マンホール立坑部を閉塞する外周が円形の、断熱性と防水性を有した隔壁本体を備え、マンホール受枠へ固定する吊設手段を備える。前記フロート排水栓は、前記隔壁体の略中央部に配され、内部に球状のフロートを移動自在に備えた円筒部と、該円筒部の下部に、前記フロートの直径より適宜小さい直径のフロート線接触部を有した開口部を設けて成る。前記フロート上側に雨水等の蓄積がない場合は、前記フロートが自重作用によりフロート線接触部と線接触して開口部を遮蔽し、前記円筒部内のフロート上側に雨水等が蓄積された場合には、前記フロートが浮力により上方に移動して開口部を開放する。下水道内の内圧が適宜範囲で高い場合は前記フロートが上昇し開口部を開放する。【０００６】  また、前記吊設手段が、前記蓋の下側に適宜の断熱空間を保持して、マンホール受枠に吊設可能なフック部と固定手段とを有するとともに、中心方向に回動自在で折り畳み可能にした吊金具を備えることを特徴とするマンホール熱遮断装置とするのが好ましい。
また、前記隔壁本体が、断熱性と防水性及び弾性を有した樹脂製発泡体で成り、隔壁本体１０ａの外形は、立坑部Ｄの内径に同一又はわずかに大きい直径とし、前記隔壁体は、中央部下側に備えた補強板と、上側に設けられた前記支持金具とで、該隔壁体本体を挟んでスペーサー４４を介してボルト・ナットなど締結手段で結合して形成されることを特徴とするマンホール熱遮断装置とするのが好ましい。
【考案の効果】
【０００７】  本考案によって、マンホール蓋から侵入する雨水等の侵入物を下方の下水道に排出するとともに、前記下水道内の熱気や臭気が上方の前記マンホール蓋側に伝わるのを遮断することができる。上部にマンホールの受枠に固定するための吊設手段を備えていて容易に設置できる。【０００８】  前記フロート上側に雨水等の蓄積がない場合は、前記フロートが自重作用により開口部を遮蔽し、円筒部内のフロート上側に雨水等が蓄積された場合には、フロートが浮力により移動して開口部を開放し、また、下水道内の内圧が適宜範囲で高い場合は前記フロートが上昇し開口部を開放することができる。
また、吊金具３１が、フック部と固定手段とを備えたので容易に装着でき、また、中心方向に回動自在で折り畳み可能にしたので、搬送、保管に有利である。また、隔壁本体は弾性を有した樹脂製発泡体で、外形は立坑部の内径に同一又はわずかに大きい直径としたので密閉性に優れる。
【図面の簡単な説明】
【０００９】
【図１】本考案の全体像を断面図で示す正面図である。
【図２】図１のマンホール部を除いた平面図である。
【図３】本装置の正面図である。
【図４】本装置の平面図である。
【図５】本装置の底面図である。
【図６】本装置の左側面図である。
【図７】吊金具を折り畳んだ状態を示す説明図である。
【考案を実施するための形態】
【００１０】  本考案を実施するための形態について、図を用いて詳細に説明する。
図１、図２に示すように、本考案は、路面の下に埋設された下水道Ｅ（図示せず）の上に垂設されたマンホールＡの蓋Ｂの下側の立坑部Ｄに設置される装置である。マンホール蓋からの雨水等の侵入物を下方に排出するとともに、下水道の熱気をマンホール蓋側に伝わるのを遮断する装置であって、隔壁体１０とフロート排水栓２０で構成される。
【実施例】
【００１１】  前記隔壁体１０は、前記マンホール立坑部Ｄを閉塞する外周が円形の、断熱性と防水性を有した平板状の隔壁本体１０ａを備える。隔壁本体１０ａの外形の大きさは、立坑部Ｄの内径に合わせた直径とする。マンホール受枠Ｃへ固定する吊設手段３０については後述する。
隔壁体１０の略中央部に、前記フロート排水栓２０を設ける。フロート排水栓２０は、内部に球状のフロート２１を移動自在に備えた筒状の円筒部２２と、該円筒部２２の下部に、前記フロートの直径より適宜小さい直径のフロート線接触部２３ａを有した排水用の開口部２４を設けて成る。この円筒部２２と開口部２４は、大口径と小口径の管を繋いだ異径管を利用することができる。大口径の部分を前記円筒部２２として、小口径の部分を開口部２４とし異径の繋ぎの部分がフロート線接触部２３ａとなる。この時は、小口径の直径より幾分大きい直径の球体のフロートを用いる。
開口部２４の排水に係る開口の大きさは、各種マンホールの蓋の種類に対応して、マンホール蓋Ｂから侵入する雨水等の量を排出できる大きさとするのが好ましい。
また、前記円筒部２２の内面が傾斜した下に凸の円錐形状の面でもよく、漏斗状の形状にして、漏斗の排出部が前記でいう開口部２４となる。
また、前記円筒部２２の上側にフロートの逸脱を阻止する逸脱防止金具３５を設ける。本例では、支持金具３２を兼用して、支持金具３２の中央部に対向する辺の間隔がフロートの直径より小さい矩形の抜き穴で形成している。
また、円筒部２２の上側に雨水以外の異物の侵入を阻止する金網状の物を必要に応じて設ける。【００１２】  フロート排水栓２０は、前記筒部を、隔壁本体１０ａに接着して取り付けるか、本例のように保護金具２７によって隔壁本体１０ａに取り付けられる。保護金具２７は、排水栓２０が樹脂材料等で成る場合に外部負荷からの保護を兼ねて設けられ、本例では、開口部２４下端を支持する下向きに凸の帯状の金具で、隔壁本体１０ａ下面の補強板１１にボルト・ナット等で固定される。
フロート２０は水中で浮力によって浮く軽量の球体とする。軽量の球体として、高分子材料や金属製、ガラスなどの中空球体を用いることができる。
図３〜図６に示すように、前記隔壁体１０は吊設手段３０によってマンホール受枠に固定される。吊設手段３０は、吊金具３１と支持金具３２で構成され、吊金具３１と支持金具３２は蝶番ピン３３で中心方向に回動自在に接続される。
吊金具３１は、本例では帯状の板材で成り、隔壁本体１０ａの上側に立設した吊金具本体３１ａが上部に矩形の抜き穴３１ｃを備えた水平なフック部３１ｂを有し、マンホール受枠Ｃに設けられているマンホール立坑部内面に沿って上に凸の突起部４１に、前記フック部３１ｂの矩形の抜き穴３１ｃを装着して吊設する。【００１３】  吊金具３１の下部に、吊金具３１の軸方向に垂直に軸穴を有した軸受部３１ｄを有し、隔壁本体１０ａ上面には帯状の板材で成る支持金具３２が吊金具３１の方向に向けて設けられ、支持金具３２の端部に軸受部３２ａを有し、前記軸受部３１ｄと該軸受部３２ａが蝶番ピン３３で連結される。これに依り、吊金具３１は隔壁体１０中心方向に回動して折り畳み可能に設けられる。図７に折り畳んだ状態を示す。
前記吊金具本体３１ａのフック部３１ｂの適宜間隔を有した下部に固定手段３４を設ける。固定手段３４は前記吊金具本体３１ａに固定して設けたナット３４ｂに蝶ボルト３４ａをマンホール受枠方向に設けて成り、前記フック部３１ｂと該蝶ボルト３４ａによって前記マンホール受枠の突起部４１を挟持して固定する。蝶ボルト３４ａによって着脱自在に装着できる。
前記吊金具３１の上下方向の長さによって、蓋Ｂと隔壁体の間隔を設定することができる。この空間を隔壁体１０から蓋Ｂへ伝わる熱伝達を阻止する断熱の空気層としている。【００１４】  前記隔壁本体１０ａは、断熱性と防水性を有した、本例では樹脂製発泡体の板状で成る。この際、樹脂製発泡体は厚いほど耐熱伝導性に優れるが、断熱性能の要求に応えられる厚さであればよく、本考案では特に限定しない。隔壁本体１０ａの外形の大きさは、立坑部Ｄの内径に合わせた直径とする。この際、隔壁本体１０ａの材質が弾性を有する場合は、隔壁本体１０ａの外形は、立坑部Ｄの内径に同一又はわずかに大きい直径とすると、立坑部Ｄの内面と密着性に優れる。
本例では隔壁体１０の中央下部に剛性を有する補強板１３を備える。補強板１３は、隔壁本体１０ａが樹脂製発泡体などのように強度部材ではない場合の補強であって、本例では剛性を有する円形の板状で、隔壁本体１０ａの下部に設けられ、隔壁本体１０ａ上側に設けた支持金具３２との間で隔壁本体１０ａを挟んで締結手段で固定し、強化を図っている。本例では、樹脂製発泡体の弱圧縮強度を考慮して、上面の支持金具３２との間に管状のスペーサー４４を介してボルト・ナット４３で固定している。【００１５】  本装置の作用として、マンホール熱遮断装置１は、前記フロート上側に雨水等の蓄積がない場合は、前記フロート２１が自重作用により円筒部２２下部のフロート線接触部２３ａで線接触して開口部２４を遮蔽する。マンホール蓋Ｂから雨水等が流入し、隔壁体１０を伝って前記円筒部２２内に流れ込みフロート上側に雨水等が蓄積された場合には、前記フロート２１が浮力により上方に移動して開口部２４を開放し、雨水等が排出される。
また、下水道内の内圧が異常に高い場合は、圧力が隔壁体１０を上方向に押し上げ隔壁体１０を破壊してしまう恐れがあるが、本考案では、下水道内の内圧が適宜範囲で高い場合は、前記フロート２１が押し上げられ開口部２４を開放し、圧力をマンホール蓋側に逃す事ができる。【００１６】  本装置のマンホールへの装着方法は、図２に示すように、マンホール受枠Ｃには中央に向けて、図２の例では６か所の突出部４２があるので、外形が円形の本装置を水平にしたままでは装着することができない。このため、本装置を垂直にして、前記６か所の突出部の隣り合う間隙を通して下側に降ろした後、水平にして装着する。
【符号の説明】
【００１７】１  マンホール熱遮断装置
１０  隔壁体
１０ａ  隔壁本体
１１  円形の補強板
２０  フロート排水栓
２１  フロート
２２  円筒部（大口径円筒部）
２３  大口径と小口径の繋部
２３ａ  フロート線接触部
２４  開口部（小口径円筒部）
２７  保護金具
３０  吊設手段
３１  吊金具
３１ａ  吊金具本体
３１ｂ  平面のフック部
３１ｃ  矩形の抜き穴
３１ｄ  軸受部
３２  支持金具
３２ａ  軸受部
３３  蝶番ピン
３４  固定手段
３４ａ  蝶ボルト
３４ｂ  固定ナッ
３５  逸脱防止金具
４１  受枠の上向きの突起部
４２  受枠の中央側への突出部
４３  補強板固定用ボルト・ナット
４４  スペーサー
Ａ  マンホール
Ｂ  蓋
Ｃ  マンホール受枠
Ｄ  立坑部
Ｅ  下水道（図示せず）
【図１】
0003214909.tif 000003
【図２】
0003214909.tif 000004
【図３】
0003214909.tif 000005
【図４】
0003214909.tif 000006
【図５】
0003214909.tif 000007
【図６】
0003214909.tif 000008
【図７】
0003214909.tif 000009